(57)【要約】      （修正有）【課題】コンピューティングデバイス及び入力デバイスの組み合わせ体を提供する。【解決手段】コンピューティングデバイス１０２は、複数の側部１１６、１１８を提供する。入力デバイス１１４は、構造的ブリッジと、１対のコントロールモジュール１２０、１２２と、入力デバイスの背面側部に取り付けられているタッチセンサ式の入力モジュールとを提供する。１対のコントロールモジュールは、複数の側部の少なくとも２つの対向する側部において、コンピューティングデバイスを閉じ込めている。１対のコントロールモジュールは、第２のコンピューティングデバイスの幅を適応的にぴったりと収容し、あるいは、コンピューティングデバイスの幅を適応的にぴったりと収容しており、第２のコンピューティングデバイスは、コンピューティングデバイスの幅よりも大きい幅を有している。構造的ブリッジは、１対のコントロールモジュールの一方を他方に固定している。【選択図】図１
2018152041.tif 000002
【特許請求の範囲】
【請求項１】
複数の側部を提供するコンピューティングデバイスであって、前記複数の側部のそれぞれは、前記コンピューティングデバイスの電子ディスプレイスクリーンと前記コンピューティングデバイスの背面との間に配設されており、前記コンピューティングデバイスは、前記コンピューティングデバイスの幅よりも大きい長さを有している、コンピューティングデバイスと、
前記コンピューティングデバイスと電子通信し、１対のコントロールモジュールを提供する入力デバイスであって、前記１対のコントロールモジュールは、前記コンピューティングデバイスの前記複数の側部のうちの少なくとも２つの対向する側部において、前記コンピューティングデバイスに隣接し、前記コンピューティングデバイスを閉じ込めており、前記１対のコントロールモジュールは、前記１対のコントロールモジュールが第２のコンピューティングデバイスの幅を適応的にぴったりと収容し、あるいは、前記１対のコントロールモジュールが前記コンピューティングデバイスの前記幅を適応的にぴったりと収容するように構成されており、前記第２のコンピューティングデバイスの前記幅は、前記コンピューティングデバイスの前記幅よりも大きく、前記第２のコンピューティングデバイスは、前記コンピューティングデバイスの前記幅よりも大きい長さを有しており、前記１対のコントロールモジュールのそれぞれは、正面側部および背面側部を提供している、入力デバイスと、
前記１対のコントロールモジュールの一方を他方に固定している構造的ブリッジであって、前記１対のコントロールモジュールに関連してコントローラを形成しており、前記コントローラは、正面側部および背面側部を提供しており、前記構造的ブリッジは、前記構造的ブリッジが前記第２のコンピューティングデバイスの前記長さを適応的にぴったりと収容し、あるいは、前記構造的ブリッジが前記コンピューティングデバイスの前記長さを適応的にぴったりと収容するように構成されており、前記第２のコンピューティングデバイスの前記長さは、前記コンピューティングデバイスの前記長さよりも大きく、前記構造的ブリッジは、正面側部および背面側部を提供している、構造的ブリッジと、
前記コントローラの前記背面側部に取り付けられているタッチセンサ式の入力モジュールと
を含む、デバイス。
【請求項２】
請求項１に記載のデバイスであって、前記コントローラの前記背面側部に取り付けられている前記タッチセンサ式のモジュールは、前記１対のコントロールモジュールの選択されたコントロールモジュールの前記背面側部に取り付けられており、前記１対のコントロールモジュールのうちの第１のものは、前記構造的ブリッジと連絡する保持メカニズムを含み、前記保持メカニズムは、前記構造的ブリッジを固定しており、前記構造的ブリッジが前記第２のコンピューティングデバイスの前記長さを適応的に収容し、あるいは、前記構造的ブリッジが前記コンピューティングデバイスの前記長さを適応的に収容するようになっており、前記第２のコンピューティングデバイスの前記長さは、前記コンピューティングデバイスの前記長さよりも大きい、デバイス。
【請求項３】
請求項１に記載のデバイスであって、前記コントローラの前記背面側部に取り付けられている前記タッチセンサ式のモジュールは、前記構造的ブリッジの前記背面側部に取り付けられており、前記１対のコントロールモジュールのうちの第２のものは、前記構造的ブリッジと連絡するテンショニングメカニズムを含み、前記テンショニングメカニズムは、前記構造的ブリッジを固定しており、前記テンショニングメカニズムと協働する前記構造的ブリッジが前記第２のコンピューティングデバイスの前記長さをぴったりと収容し、あるいは、前記テンショニングメカニズムと協働する前記構造的ブリッジが、前記コンピューティングデバイスの前記長さをぴったりと収容するようになっており、前記第２のコンピューティングデバイスの前記長さは、前記コンピューティングデバイスの前記長さよりも大きい、デバイス。
【請求項４】
請求項１に記載のデバイスであって、前記１対のコントロールモジュールのそれぞれが、前記コンピューティングデバイスと連絡するサイジングメカニズムを含み、前記サイジングメカニズムのそれぞれは、それぞれのサイジングメカニズムが前記第２のコンピューティングデバイスの前記幅を適応的に収容し、あるいは、それぞれのサイジングメカニズムが前記コンピューティングデバイスの前記幅を適応的に収容するように構成されており、前記第２のコンピューティングデバイスの前記幅は、前記コンピューティングデバイスの前記幅よりも大きい、デバイス。
【請求項５】
請求項２に記載のデバイスであって、前記タッチセンサ式のコントロールモジュールは、タッチスクリーンであり、前記１対のコントロールモジュールのうちの前記第１のものは、調節機能を有するベースと、前記ベースと連絡するトップカバーとを提供しており、前記保持メカニズムは、
前記構造的ブリッジと連絡するボスと、
前記調節機能によって前記ボスと相互作用する調節構造体であって、前記ベースは、前記調節構造体と前記ボスとの間に配設されている、調節構造体と、
前記ボスと協働するレストレイントであって、前記調節構造体が前記ベースに対して第１の方向に活性化させられるときに、前記レストレイントは、前記ベースに対して第１の位置に前記構造的ブリッジを保持し、前記調節構造体が前記ベースに対して第２の方向に活性化させられるときに、前記調節構造体は、さらに、前記ベースに対して第２の位置に前記構造的ブリッジを保持する、レストレイントと
を含む、デバイス。
【請求項６】
請求項５に記載のデバイスであって、前記ボスは、前記ベースと協働する拘束機能を提供しており、前記拘束機能は、前記第１の方向への前記調節構造体の活性化に続いて、前記ベースに対して前記第１の位置に前記構造的ブリッジを維持する、デバイス。
【請求項７】
請求項６に記載のデバイスであって、前記レストレイントは、ばね部材である、デバイス。
【請求項８】
請求項７に記載のデバイスであって、前記第２の方向は、前記第１の方向とは反対側の方向である、デバイス。
【請求項９】
請求項３に記載のデバイスであって、前記タッチセンサ式のコントロールモジュールは、タッチスクリーンであり、前記１対のコントロールモジュールのうちの前記第２のものは、ボトムカバーと、前記ボトムカバーと協働するトップカバーとを含み、前記ボトムカバーは、位置ガイドを提供しており、前記テンショニングメカニズムは、
前記構造的ブリッジと連絡する取り付けボスと、
前記取り付けボスと協働する取り付けステイであって、前記取り付けボスと協働して、前記構造的ブリッジを閉じ込め、前記構造的ブリッジは、前記ボトムカバーと前記トップカバーとの間に配設されている、取り付けステイと、
前記取り付けステイと連絡する付勢構造体であって、前記構造的ブリッジおよび前記１対のコントロールモジュールのうちの前記第２のものとの間に可変のテンションを提供している、付勢構造体と
を含む、デバイス。
【請求項１０】
請求項９に記載のデバイスであって、前記取り付けサポートは、前記位置ガイドと相互作用するガイド開口を含み、前記ガイド開口と前記位置ガイドの相互作用は、前記構造的ブリッジと前記１対のコントロールモジュールのうちの前記第２のものとの間のアライメントを維持する、デバイス。
【請求項１１】
請求項１０に記載のデバイスであって、前記ガイド開口は、スロット形状にされた開口である、デバイス。
【請求項１２】
請求項１１に記載のデバイスであって、前記付勢構造体は、コイル状のばねであり、前記トップカバーと前記ボトムカバーとの間の協働は、前記ボトムカバーと協働する調節構造体の第１の位置に関連付けられる第１の位置から、前記調節構造体の第２の位置に関連付けられる第２の位置へ、前記構造的ブリッジの移動を促進させる、デバイス。
【請求項１３】
請求項４に記載のデバイスであって、前記１対のコントロールモジュールのうちの前記第１のものは、サイジングトグル閉じ込め構造体およびスライドサポート閉じ込め構造体を有するベースを提供しており、前記サイジングメカニズムは、
前記サイジングトグル閉じ込め構造体と連絡するサイジングトグルと、
前記サイジングトグル閉じ込め構造体と相互作用するサイジングトグルレストレイントであって、前記サイジングレストレイントは、前記ベースに対して前記サイジングトグルの回転を推進する、サイジングトグルレストレイントと、
前記ベースと協働し、前記サイジングトグルに作用する捩じり力構造体であって、第２の捩じり力の下で前記サイジングトグルが第２の位置にあることを促進させ、あるいは、第１の捩じり力の下で前記サイジングトグルが第１の位置にあることを促進させ、前記第２の捩じり力は、前記第１の捩じり力よりも大きい、捩じり力構造体と
を含む、デバイス。
【請求項１４】
請求項１３に記載のデバイスであって、前記スライドサポート閉じ込め構造体の中に入れ子にされているコンピューティングデバイススライドパッドをさらに含む、デバイス。
【請求項１５】
請求項１４に記載のデバイスであって、前記捩じり力構造体は、コイル状のばねである、デバイス。
【請求項１６】
請求項１５に記載のデバイスであって、前記サイジングトグル閉じ込め構造体は、摩擦表面を提供しており、前記摩擦表面は、前記コンピューティングデバイスが前記入力デバイスによって拘束されているときに、前記第１の位置から前記第２の位置への前記サイジングトグルの不注意な移動を抑制する、デバイス。
【請求項１７】
請求項２に記載のデバイスであって、前記タッチセンサ式のコントロールモジュールは、タッチスクリーンであり、前記１対のコントロールモジュールのうちの第２のものは、前記構造的ブリッジと連絡するテンショニングメカニズムを含み、前記テンショニングメカニズムは、前記構造的ブリッジを固定しており、前記構造的ブリッジが前記第２のコンピューティングデバイスの前記長さをぴったりと収容し、あるいは、前記構造的ブリッジが、前記コンピューティングデバイスの前記長さをぴったりと収容するようになっており、前記第２のコンピューティングデバイスの前記長さは、前記コンピューティングデバイスの前記長さよりも大きい、デバイス。
【請求項１８】
請求項１７に記載のデバイスであって、前記１対のコントロールモジュールのそれぞれは、前記コンピューティングデバイスと連絡するサイジングメカニズムを含み、前記サイジングメカニズムのそれぞれは、それぞれのサイジングメカニズムが前記第２のコンピューティングデバイスの前記幅を適応的に収容し、あるいは、それぞれのサイジングメカニズムが前記コンピューティングデバイスの前記幅を適応的に収容するように構成されており、前記第２のコンピューティングデバイスの前記幅は、前記コンピューティングデバイスの前記幅よりも大きい、デバイス。
【請求項１９】
請求項１８に記載のデバイスであって、前記１対のコントロールモジュールのうちの前記第１のものは、調節機能を有するベースを提供しており、前記保持メカニズムは、
前記構造的ブリッジと連絡するボスと、
前記調節機能によって前記ボスと相互作用する調節構造体であって、前記ベースは、前記調節構造体と前記ボスとの間に配設されている、調節構造体と、
前記ボスと協働するレストレイントであって、前記調節構造体が前記ベースに対して第１の方向に活性化させられるときに、前記レストレイントは、前記ベースに対して第１の位置に前記構造的ブリッジを保持し、前記調節構造体が前記ベースに対して第２の方向に活性化させられるときに、前記調節構造体は、さらに、前記ベースに対して第２の位置に前記構造的ブリッジを保持する、レストレイントと
を含む、デバイス。
【請求項２０】
請求項１９に記載のデバイスであって、前記ボスは、前記ベースと協働する拘束機能を提供しており、前記拘束機能は、前記第１の方向への前記調節構造体の活性化に続いて、前記ベースに対して前記第１の位置に前記構造的ブリッジを維持する、デバイス。
【請求項２１】
請求項２０に記載のデバイスであって、前記レストレイントは、ばね部材である、デバイス。
【請求項２２】
請求項２１に記載のデバイスであって、前記第２の方向は、前記第１の方向とは反対側の方向である、デバイス。
【請求項２３】
請求項２２に記載のデバイスであって、前記１対のコントロールモジュールのうちの前記第２のものは、ボトムカバーを含み、前記ボトムカバーは、位置ガイドを提供しており、テンショニングメカニズムは、
前記構造的ブリッジと連絡する取り付けボスと、
前記取り付けボスと協働する取り付けサポートであって、前記取り付けボスと協働して、前記構造的ブリッジを固定し、前記構造的ブリッジは、前記取り付けボスと前記取り付けサポートとの間に配設されている、取り付けサポートと、
前記取り付けサポートと連絡する付勢構造体であって、前記構造的ブリッジと前記１対のコントロールモジュールのうちの第２のものとの間にテンションを提供している、付勢構造体と
を含む、デバイス。
【請求項２４】
請求項２３に記載のデバイスであって、前記取り付けサポートは、前記位置ガイドと相互作用するガイド開口を含み、前記ガイド開口と前記位置ガイドの相互作用は、前記構造的ブリッジと前記１対のコントロールモジュールのうちの前記第２のものとの間のアライメントを維持する、デバイス。
【請求項２５】
請求項２４に記載のデバイスであって、前記ガイド開口は、スロット形状にされた開口である、デバイス。
【請求項２６】
請求項２５に記載のデバイスであって、前記付勢構造体は、コイル状のばねである、デバイス。
【請求項２７】
請求項２６に記載のデバイスであって、前記１対のコントロールモジュールのうちの前記第１のものは、サイジングトグル閉じ込め構造体およびスライドサポート閉じ込め構造体を有するベースを提供しており、前記サイジングメカニズムは、
前記サイジングトグル閉じ込め構造体と連絡するサイジングトグルと、
前記サイジングトグル閉じ込め構造体と相互作用するサイジングトグルレストレイントであって、前記サイジングレストレイントは、前記ベースに対して前記サイジングトグルの回転を推進する、サイジングトグルレストレイントと、
前記ベースと協働し、前記サイジングトグルに作用する捩じり力構造体であって、第２の捩じり力の下で前記サイジングトグルが第２の位置にあることを促進させ、あるいは、第１の捩じり力の下で前記サイジングトグルが第１の位置にあることを促進させ、前記第２の捩じり力は、前記第１の捩じり力よりも大きい、捩じり力構造体と
を含む、デバイス。
【請求項２８】
請求項２７に記載のデバイスであって、前記スライドサポート閉じ込め構造体の中に入れ子にされているコンピューティングデバイススライドパッドをさらに含む、デバイス。
【請求項２９】
請求項２８に記載のデバイスであって、前記捩じり力構造体は、コイル状のばねである、デバイス。
【請求項３０】
請求項２９に記載のデバイスであって、前記サイジングトグル閉じ込め構造体は、摩擦表面を提供しており、前記摩擦表面は、前記コンピューティングデバイスが前記入力デバイスによって拘束されているときに、前記第１の位置から前記第２の位置への前記サイジングトグルの不注意な移動を抑制する、デバイス。
【発明の詳細な説明】
【技術分野】
【０００１】
関連出願
本出願は、２０１５年８月３１日に出願された米国特許出願第１４／８４０，１７１号の一部継続出願であり、それは、２０１５年２月２日に出願され、現在は、２０１５年９月８日に発行された米国特許第９，１２６，１１９号である、米国特許出願第１４／６１１、８０４号の一部継続出願であり、それは、２０１２年１１月１９日に出願され、現在は、２０１５年２月３日に発行された米国特許第８，９４４，９１２号である、米国特許出願第１３／６８１，１５３号の一部継続出願であり、それは、２０１２年６月１２日に出願され、現在は、２０１５年４月１４日に発行された米国特許第９，００５，０２６号である、米国特許出願第１３／４９４，８０１号の一部継続出願であり、そして、それは、２０１１年１２月２０日に出願された米国仮特許出願第６１／５７７，７０９号の優先権を主張している。
【発明の概要】
【課題を解決するための手段】
【０００２】
好適な実施形態では、組み合わせ体は、少なくともコンピューティングデバイスおよび入力デバイスを含むが、それに限定されない。コンピューティングデバイスは、複数の側部を提供する。入力デバイスは、構造的ブリッジと、１対のコントロールモジュールと、入力デバイスの背面側部に取り付けられているタッチセンサ式の入力モジュールとを提供する。１対のコントロールモジュールは、コンピューティングデバイスの複数の側部のうちの少なくとも２つの対向する側部において、コンピューティングデバイスを閉じ込めている。１対のコントロールモジュールは、第２のコンピューティングデバイスの幅を適応的にぴったりと収容し、あるいは、コンピューティングデバイスの幅を適応的にぴったりと収容するように構成されており、第２のコンピューティングデバイスは、コンピューティングデバイスの幅よりも大きい幅を有している。構造的ブリッジは、１対のコントロールモジュールの一方を他方に固定しており、コンピューティングデバイスの長さを適応的にぴったりと収容し、代替的に、第２のコンピューティングデバイスの長さを適応的にぴったりと収容し、第２のコンピューティングデバイスは、コンピューティングデバイスの長さよりも大きい長さを有している。
【図面の簡単な説明】
【０００３】
【図１】開示されているさまざまな実施形態にしたがって構築および動作させられる、電子ゲームコントロール装置の実施形態の、部分切欠図を伴う正面斜視図である。
【図２】図１の装置の背面平面図である。
【図３】本明細書で開示されて特許請求されているさまざまな実施形態にしたがって構築された、図１の装置の、部分切欠図を伴う右側平面図である。
【図４】本明細書で開示されて特許請求されているさまざまな実施形態にしたがって構築された、図１の装置の右側平面図である。
【図５】本明細書で開示されて特許請求されているさまざまな実施形態にしたがって構築された、図１の入力デバイスの実施形態の上面斜視図である。
【図６】図１の装置の実施形態のブロック図である。
【図７】図１の装置の代替的な実施形態のブロック図である。
【図８】本明細書で開示されて特許請求されているさまざまな実施形態にしたがって構築および動作させられる、電子ゲームコントロールおよび情報入力デバイスの組み合わせ体の、部分切欠図を伴う正面斜視図である。
【図９】図８の組み合わせ体の背面平面図である。
【図１０】本明細書で開示されて特許請求されているさまざまな実施形態にしたがって構築および動作させられる、電子ゲームコントロールおよび情報入力デバイスの組み合わせ体の代替的な実施形態の、部分切欠図を伴う正面斜視図である。
【図１１】統合されたポイントオブセールデバイスを備える入力デバイスの実施形態の上面斜視図であり、入力デバイスが、本明細書で開示されて特許請求されているさまざまな実施形態にしたがって構築されていることを示す図である。
【図１２】電子ゲームコントロールおよび情報入力デバイスの組み合わせ体の代替的な実施形態の、部分切欠図を伴う正面斜視図であり、情報入力デバイスが、統合されたポイントオブセールデバイスを提供していることを表示する図である。
【図１３】コンピューティングデバイスおよび電子ゲームコントロールの組み合わせ体の代替的な実施形態の、部分切欠図を伴う正面斜視図であり、電子ゲームコントロールが、ブリッジ部材によって一方を他方にリンク付けされた１対のコントロールモジュールを含むことを表示する図である。
【図１４】図１３のコンピューティングデバイスおよび電子ゲームコントロールの組み合わせ体の背面平面図である。
【図１５】図１３のコンピューティングデバイスおよび電子ゲームコントロールの組み合わせ体の代替的な実施形態の上面斜視図である。
【図１６】通信ポートがその上に固定されているコンピューティングデバイスと通信ポートに取り付けられている入力デバイスの代替的な組み合わせ体の背面平面図である。
【図１７】図１６の通信ポートの上面図である。
【図１８】図１６の通信ポートの側面図である。
【図１９】図１６の通信ポートの１対の閉じ込め構造体のうちの第１の選択された閉じ込め構造体の正面図および背面図である。
【図２０】図１６の通信ポートの１対の閉じ込め構造体のうちの第２の選択された閉じ込め構造体の正面図および背面図である。
【図２１】図１６の通信ポートの１対の閉じ込め構造体のうちの選択された閉じ込め構造体に隣接する第１のコントロールモジュールの底面平面図である。
【図２２】図１６の通信ポートの１対の閉じ込め構造体のうちの選択された閉じ込め構造体に固定されている第１のコントロールモジュールの底面平面図である。
【図２３】図１６の通信ポートの１対の閉じ込め構造体のうちの選択された閉じ込め構造体に固定されている第１のコントロールモジュールの側面図である。
【図２４】図１６の通信ポートの締め付けメカニズムの斜視的な図である。
【図２５】データストレージデバイスおよび補助電源を切り欠きで明らかにしている、図１６のコンピューティングデバイスおよび電子ゲームコントロールの組み合わせ体の背面平面図である。
【図２６】本明細書で開示されて特許請求されているさまざまな実施形態にしたがって構築および動作させられる電子ゲームコントロール装置の代替的な実施形態の、部分切欠図を伴う正面斜視図である。
【図２７】図２６の電子ゲームコントロール装置の入力デバイスの第１のコントロールモジュールの斜視的な分解図である。
【図２８】図２６の電子ゲームコントロール装置の入力デバイスの第２のコントロールモジュールの斜視的な分解図である。
【図２９】図２６の電子ゲームコントロール装置の背面斜視図である。
【図３０】さまざまなサイズのコンピューティングデバイスを収容するように構成されている、図２６の電子ゲームコントロール装置の正面斜視図である。
【図３１】さまざまなサイズのコンピューティングデバイスを収容するように構成されている、図２６の電子ゲームコントロール装置の背面斜視図である。
【図３２】最大サイズのコンピューティングデバイスが第１のコントロールモジュールに係合する段階にある、図２６の電子ゲームコントロール装置の第２のコントロールモジュールの正面斜視図である。
【図３３】最大サイズのコンピューティングデバイスが第１のコントロールモジュールとの係合を開始している、図２６の電子ゲームコントロール装置の第２のコントロールモジュールの正面斜視図である。
【図３４】最大サイズのコンピューティングデバイスが第１のコントロールモジュールに完全に係合されている、図２６の電子ゲームコントロール装置の第２のコントロールモジュールの正面斜視図である。
【図３５】本明細書で開示されて特許請求されているさまざまな実施形態にしたがって構築および動作させられる電子ゲームコントロール装置の代替的な実施形態の正面図である。
【図３６】電子ゲームコントロール装置の代替的な実施形態の正面図、および、コンピューティングデバイスの正面斜視図であり、コンピューティングデバイスは、電子ゲームコントロール装置とインターフェース接続し、電子ゲーミングシステムを形成していることを示す図である。
【図３７】本明細書で開示されて特許請求されているさまざまな実施形態にしたがって構築および動作させられる、図３６の電子ゲームコントロール装置の代替的な実施形態の、部分切欠図を伴う正面斜視図である。
【図３８】図３７の電子ゲームコントロール装置の入力デバイスのコントロールモジュールの斜視的な分解図である。
【図３９】キーボードが図３８のコントロールモジュールの中へ統合されている、図３６の電子ゲーミングシステムの代替的な実施形態の正面図である。
【図４０】ディスプレイとワイヤレスに相互作用する、図３９の電子ゲーミングシステムの代替的な実施形態の正面図である。
【図４１】タッチセンサ式のモジュールが電子ゲーミングコントローラの背面側部に取り付けられている、図３７の電子ゲーミングシステムの代替的な実施形態の背面図である。
【図４２】タッチセンサ式のモジュールが電子ゲーミングコントローラの背面側部に取り付けられている、図３７の電子ゲーミングシステムのさらに代替的な実施形態の背面図である。
【発明を実施するための形態】
【０００４】
本開示は、概して、本明細書で、ビデオゲーム、コンピュータゲーム、およびアプリケーションゲームとも称される、電子ゲームの制御およびコンピューティングデバイスへの情報の入力に方向付けされた、ゲームコントローラおよび情報入力デバイスの組み合わせ体に関する。装置は、好ましくは、コンピューティングデバイスと、コンピューティングデバイスと通信する電子ゲームと、電子ゲームによって提供される仮想オブジェクトの移動、および、コンピューティングデバイスの中への情報の入力を制御するための入力デバイスとを含む。好適な実施形態では、入力デバイスは、コンピューティングデバイスの複数の側部のうちの対向する側部に隣接する１対の対向する側部構造体を含む。入力デバイスは、さらに好ましくは、複数の入力スイッチを含み、前記入力スイッチは、コンピューティングデバイスの複数の側部のうちの少なくとも２つの対向する側部のそれぞれに隣接しており、ブリッジ構造体が、１対の側部の間に配設され、３つの側部から構成された構造体を形成している。コンピューティングデバイスが３つの側部から構成された構造体の中で完全に入れ子にされているときに、第３の構造体が、３つの側部から構成された構造体からのコンピューティングデバイスの不注意な除去を抑制する。
【０００５】
図面を見てみると、図１は、本発明のさまざまな実施形態にしたがって使用されることが可能な例示的なゲームコントローラおよび情報入力デバイス（「Ｇ＆Ｄ」）１００を提供する。例示的なＧ＆Ｄ１００は、少なくともコンピューティングデバイス１０２（本明細書でコンピューティングデバイス１０２とも称される）を有しており、それは、１０４、１０６、１０８、および１２６などのような、複数の側部を提供している。複数の側部１０４、１０６、および１０８のそれぞれは、コンピューティングデバイス１０２の電子ディスプレイスクリーン１１０と、コンピューティングデバイス１０２の背面１１２（図２によって示されている）との間に配設されている。Ｇ＆Ｄ１００は、さらに好ましくは、入力デバイス１１４を含む。コンピューティングデバイス１０２は、タブレットコンピュータ、スマートフォン、ノートブックコンピュータ、または、他のポータブルコンピューティングデバイスの形態をとることが可能である。
【０００６】
好適な実施形態では、入力デバイス１１４は、１対の側部構造体１１６および１１８を提供し、ブリッジ構造体１１５が、それらの間に配設されている。１対の側部構造体のうちの１つ、たとえば１１６は、コンピューティングデバイス１０２の複数の側部１０４、１０６、１０８、および１２６のうちの１０４などのような、第１の側部において、コンピューティングデバイス１０２に隣接しており、また、コンピューティングデバイス１０２を閉じ込めている。１対の側部構造体のうちの第２の側部構造体、たとえば１１８などは、コンピューティングデバイス１０２の複数の側部１０４、１０６、１０８、および１２６のうちの１０８などのような、第２の側部において、コンピューティングデバイス１０２に隣接しており、また、コンピューティングデバイス１０２を閉じ込めており、コンピューティングデバイス１０２の複数の側部１０４、１０６、１０８、および１２６のうちの１０４および１０８などのような、第１および第２の側部は、コンピューティングデバイス１０２の複数の側部１０４、１０６、１０８、および１２６のうちの対向する側部である。
【０００７】
好適な実施形態では、入力デバイス１１４は、複数の除去可能なゲームコントロールモジュール１２０および１２２、ならびに、ブリッジ構造体１２４をさらに提供しており、除去可能なゲームコントロールモジュール１２０および１２２は、コンピューティングデバイス１０２の複数の側部１０４、１０６、１０８、および１２６のうちの少なくとも２つの対向する側部１０４および１０８のそれぞれに隣接しており、ブリッジ構造体１２４は、１対の側部構造体１１６および１１８の間に配設されており、コンピューティングデバイス１０２の複数の側部１０４、１０６、１０８、および１２６のうちの第３の側部１２６に隣接している。
【０００８】
好適な実施形態では、除去可能なゲームコントロールモジュール１２０および１２２は、入力デバイス１１４から除去され、図８の除去可能なキーボードモジュール１６４および１６６によって交換され得る。モジュールの交換を促進させるために、入力デバイスは、好ましくは、１対の入力モジュール開口１７０を提供している。除去可能なキーボードモジュールは、集合的にフルファンクションキーボードを形成しており、それぞれは、補助電子ディスプレイスクリーン（「ＡＤＳ」）１６８を提供しており、それぞれのＡＤＳ１６８は、少なくとも、電子ディスプレイスクリーン１１０の機能性を有している。
【０００９】
図１０によって示されている代替的な実施形態では、除去可能なキーボードモジュール１６４および１６６は、１対のタッチ反応式の電子ディスプレイスクリーン１７２および１７４であり、タッチ反応式の電子ディスプレイスクリーンのそれぞれは、少なくとも、電子ディスプレイスクリーン１１０の機能性を有しており、マウスパッド部分１７６および１７８機能性を含み、情報入力のためのキーボード１８０および１８２のキーを選択的に提示する。好ましくは、キーは、ユーザによるタッチに反応する仮想キーである。
【００１０】
図１に戻ると、好ましくは、ブリッジ構造体１２４は、１対の側部構造体１１６および１１８と組み合わせて、（図５の）３つの側部から構成された構造体１２８（本明細書で、入力デバイス１１４のＵ字形状の構造体１２８とも称される）を形成しており、コンピューティングデバイス１０２がその中に入れ子になっており、コンピューティングデバイス１０２が、Ｕ字形状の構造体１２８によって閉じ込められるようになっており、また、コンピューティングデバイス１０２が、３つの側部から構成された構造体１２８の中に完全に入れ子になっているときに、Ｕ字形状の構造体１２８は、Ｕ字形状の構造体１２８からのコンピューティングデバイス１０２の不注意な除去を抑制している。
【００１１】
図１のＧ＆Ｄ１００は、さらに好ましくは、ビデオゲーム１３０を含む。好ましくは、ビデオゲーム１３０は、電子ディスプレイスクリーン１１０によって表示される仮想オブジェクト１３２を提供しており、仮想オブジェクト１３２は、入力デバイス１１４からの入力に反応する。仮想オブジェクト１３２の反応の例は、仮想オブジェクト１３２の移動、または、入力デバイス１１４によって提供される所定の信号に基づく代替的なコンピュータゲームのローディング、または、キャラクタの出現であることとなる。図１は、複数のスイッチのハウジングを表示しており、一方、複数のスイッチのうちの少なくともいくつかは、図３の部分切欠図に示されているということが留意される。
【００１２】
図２は、コンピューティングデバイス１０２の背面１１２を示して明らかにしている。図２によってさらに示されているのは、入力デバイス１１４であり、入力デバイス１１４は、１対のトリガースイッチ１３６および１３８を提供しており、１対のトリガースイッチ１３６および１３８は、それらの対応する側部構造体１１６および１１８によってそれぞれ支持されている。
【００１３】
図３は、所定の数の複数のスイッチ１４０が、入力装置１４２を形成するために互いに協力しており、入力装置１４２が、コンピューティングデバイス１０２の電子ディスプレイスクリーン１１０の上に表示される仮想オブジェクトの表示を制御するということを示している。好ましくは、入力装置１４２は、ジョイスティック１４２である。図３は、入力デバイス１１４が、除去可能なゲームコントロールモジュール１２０の複数のボタン１４４および１１９を提供しており、それが、対応するスイッチ１４５および１２１を活性化させるということをさらに示している。トリガー１３８、ジョイスティック１４２、ならびに、除去可能なゲームコントロールモジュール１２０のボタン１４４および１１９の主要な機能は、プレイ可能なボディ／オブジェクトの移動／行動を支配し、または別の方法で、（図１の）ビデオゲーム１３０または代替的なコンピュータゲームの中のイベントに影響を与えることである。
【００１４】
図４は、Ｇ＆Ｄ１００が、第２のジョイスティック１４６および第２のボタン１４８をさらに含み、それらは、側部構造体１１６の上にトリガー１３６に隣接して提供されていることを示している。一方、図５は、入力デバイス１１４の中央処理装置（ＣＰＵ）１５０を示している。
【００１５】
図６は、入力デバイス１１４が、ＣＰＵ１５０を含み、ＣＰＵ１５０が、複数のスイッチ１５２と相互作用し、複数のスイッチ１５２が、好ましくは、（図１の）除去可能なゲームコントロールモジュール１２０の少なくともスイッチ１１９、（図１の）除去可能なゲームコントロールモジュール１２２のスイッチ１１７、（図２および図３の）１３６、１３８、１４２、１４４、１４６、および１４８を含むことを示している。図６は、入力デバイス１１４が、コンピューティングデバイス１０２と入力デバイス１１４との間に通信リンクを提供する通信プロトコル１５４を含むことをさらに示している。好適な実施形態では、ユニバーサルシリアルバス（ＵＳＢ）通信プロトコルが利用されている。しかし、当業者が認識することとなるように、通信プロトコル１５４は、ＵＳＢプロトコルに限定されない。
【００１６】
図６は、コンピューティングデバイス１０２が、好ましくは、少なくともＣＰＵ１５６を含み、ＣＰＵ１５６が、電子ディスプレイスクリーン１１０、ビデオゲーム１３０、デバイスドライバ１５８と相互作用しており、デバイスドライバ１５８が、コンピューティングデバイス１０２と入力デバイス１１４との間の相互作用を促進させ、通信プロトコル１６０が、コンピューティングデバイス１０２と入力デバイス１１４との間の通信リンクを提供していることをさらに示している。好適な実施形態では、ユニバーサルシリアルバス（ＵＳＢ）通信プロトコルが利用されている。しかし、当業者が認識することとなるように、通信プロトコル１６０は、ＵＳＢプロトコルに限定されない。
【００１７】
図７は、例示的なゲームコントローラ１６２の代替的な実施形態を示しており、デバイスドライバ１５８およびビデオゲーム１３０が、入力デバイス１１４の中に位置付けされている。
【００１８】
図８は、好適な実施形態では、Ｇ＆Ｄ１００が、コンピューティングデバイス１０２の第１の側部に第１のカメラ１８４を含み、コンピューティングデバイス１０２の背面側部に第２のカメラ１８６を含み（図９によって示されている）、入力デバイス１１４の第１の側部に第３のカメラ１８８を含み、入力デバイス１１４の背面側部に第４のカメラ１９０を含む（図９によって示されている）ことを示している。
【００１９】
好適な実施形態では、４つのカメラのそれぞれは、独立して選択的に機能することが可能であり、または、互いに関連して使用され得、また、４つのカメラ１８４、１８６、１８８、および１９０のそれぞれは、静止画像およびビデオ画像をキャプチャする点において完全に機能する。追加的に、および、好ましくは、第１および第２のカメラ１８４および１８６は、コンピューティングデバイス１０２が入力デバイス１１４から取り外されているときでも、完全に動作可能であり、一方、第３および第４のカメラ１８８および１９０は、入力デバイス１１４がコンピューティングデバイス１０２から取り外されているときでも、完全に機能する。
【００２０】
好適な実施形態では、コンピューティングデバイス１０２が入力デバイス１１４の中に入れ子にされているときに、第１および第２のカメラ１８４および１８６は、どちらのデバイスが第１および第２のカメラ１８４および１８６の制御のために選択されているかということに応じて、独立してまたは同時に、コンピューティングデバイス１０２または入力デバイス１１４のいずれかからの入力に反応する。さらに、好適な実施形態では、それぞれのコンピューティングデバイス１０２および入力デバイス１１４は、ブルートゥース（登録商標）プロトコルスタック通信機能（構造）を備えて構成されており、それは、コンピューティングデバイス１０２が入力デバイス１１４から取り外されているときでも、ユーザがコンピューティングデバイス１０２の第１および第２のカメラ１８４および１８６を入力デバイス１１４とともに動作させることを可能にする。同様に、コンピューティングデバイス１０２および入力デバイス１１４が、ブルートゥースプロトコルスタック通信機能（構造）を備えて構成されているときには、ユーザは、コンピューティングデバイス１０２を使用して、入力デバイス１１４の第３および第４のカメラ１８８および１９０を動作させることが可能である。換言すれば、好適な実施形態では、４つのカメラ１８４、１８６、１８８、および１９０のそれぞれは、コンピューティングデバイス１０２が入力デバイス１１４の中に入れ子にされているかどうかにかかわらず、個別にまたは集合的に、選択的に動作させられ得る。
【００２１】
図９は、好適な実施形態では、入力デバイス１１４は、補助電源１９２および補助データストレージデバイス１９４を含み、補助データストレージデバイス１９４は、好ましくは、キャッシュ部分１９６を含むことを示している。好ましくは、補助電源１９２は、リチウムイオン電池であり、補助電源１９２は、コンピューティングデバイス１０２の電源が抜かれているときに、入力デバイス１１４およびコンピューティングデバイス１０２に電力を提供し、また、補助データストレージデバイス１９４は、ソリッドステートハードドライブである。
【００２２】
好適な実施形態では、キャッシュ１９６は、カメラ１８４、１８６、１８８、および１９０のそれぞれからの同期化された入力をバッファするようにサイズ決めされており、補助データストレージデバイス１９４が、シームレスに表示するために、画像（静止画像またはビデオ画像）を格納および取り出すことができるようになっており、それは、カメラ１８４、１８６、１８８、および１９０のそれぞれによって記録されたビデオ画像を同時に出力することを含む。
【００２３】
カメラ１８４、１８６、１８８、および１９０を利用する非限定的で例示的なアプリケーションでは、第１のカメラ１８４は、情報プレゼンタに向けられ得、一方、第２のカメラ１８６は、プレゼンテーションに参加している聴衆の一部分に向けられる。第３のカメラ１８８は、プレゼンタの情報を聴衆に提示するためにプレゼンタによって使用されているスクリーンに向けられ得、一方、第４のカメラは、聴衆の別の一部分に向けられる。記録されたプレゼンテーションを同時に再生することによって、情報に対する聴衆の反応、および、提示されている情報のシーケンスが、プレゼンテーションに対する改善を促進するために分析され得る。
【００２４】
図１１は、ビデオゲームコントローラ２００の代替的な実施形態を示しており、ビデオゲームコントローラ２００は、統合されたトランザクションカード入力機能（構造）２０２を提供している。好ましくは、統合されたトランザクションカード入力機能（構造）２０２は、トランザクションカードスロット２０４およびトランザクションカードリーダ２０６を含む。好適な実施形態では、トランザクションカードリーダ２０６は、磁気ストリップリーダであるが、当業者が認識することとなるように、トランザクションカードリーダは、代替例では、光学式のキャラクタ認識リーダ、バーコードリーダ、オブジェクト認識リーダ、またはパターン認識リーダであることが可能である。
【００２５】
図１２は、好適な実施形態では、統合されたポイントオブセールデバイス２１０を備える、コンピューティングデバイスおよび電子ゲームコントローラの組み合わせ体が、好ましくは、コンピューティングデバイス２１２および入力デバイス２２０を含み、コンピューティングデバイス２１２は、複数の側部２１４を有しており、複数の側部２１４のそれぞれは、コンピューティングデバイスの電子ディスプレイスクリーン２１６とコンピューティングデバイスの背面２１８との間に配設されており、入力デバイス２２０は、コンピューティングデバイス２１２と電子通信しているということを示している。入力デバイス２２０は、好ましくは、側部構造体２２２を提供しており、側部構造体２２２は、コンピューティングデバイス２１２の複数の側部２１４のうちの少なくとも２つの対向する側部において、コンピューティングデバイスに隣接しており、コンピューティングデバイスを閉じ込めている。入力デバイス２２０は、さらに好ましくは、入力モジュール開口２２４を提供しており、それぞれの入力モジュール開口２２４は、図１の１０２および１２２などのような、ゲームコントロールモジュール、または、２２６および２２８などのような、除去可能なキーボードモジュールのいずれかを選択的に受け入れる。好ましくは、入力モジュール開口２２４は、コンピューティングデバイス２１２の複数の側部２１４のうちの少なくとも２つの対向する側部のそれぞれに隣接している。
【００２６】
図１２は、好適な実施形態では、統合されたポイントオブセールデバイス２１０を備える、コンピューティングデバイスおよび電子ゲームコントローラの組み合わせ体は、好ましくは、入力デバイス２２０およびコンピューティングデバイス２１２のそれぞれと通信するカメラ２３０を含むということをさらに示している。カメラ２３０は、静止画像またはビデオ画像のいずれかを選択的にキャプチャし、入力デバイス２２０は、統合されたトランザクションカード入力機能（構造）２３２をさらに提供しており、統合されたトランザクションカード入力機能（構造）２３２は、トランザクションカード２３４と相互作用し、また、好ましくは、入力デバイスは、電子ゲームコントローラ２２０である。好ましくは、カメラ２３０は、ユーザが電子ディスプレイスクリーン２１６に顔を向けている間にユーザの方を向いているレンズを有する第１のカメラであり、また、（図９の）１８６または１９０などのような、第１のカメラ１８４の方向とは反対側の方向に向いているレンズを有する第２のカメラを少なくとも含む。
【００２７】
図１２は、コンピューティングデバイス２１２の電子ディスプレイスクリーン２１６の上に表示されているアプリケーション２３６を追加的に示している。好ましくは、コンピューティングデバイス２１２の電子ディスプレイスクリーン２１６の上に表示されているアプリケーション２３６は、ポイントオブセールトランザクションのコンピュータアプリケーションであり、それは、電子ゲームコントローラ２２０およびコンピューティングデバイス２１２と相互作用する。
【００２８】
図１３は、コンピューティングデバイスおよび電子ゲームコントロールの組み合わせ体２４０（本明細書でデバイス２４０とも称される）の代替的な実施形態を示している。コンピューティングデバイス２４２は、好ましくは、複数の側部２４４を提供しており、複数の側部のそれぞれは、コンピューティングデバイス２４２の電子ディスプレイスクリーン２４６とコンピューティングデバイス２４２の背面２４８との間に配設されている。
【００２９】
好ましくは、電子ゲームコントローラ２５０（本明細書で入力デバイス２５０とも称される）は、コンピューティングデバイス２４２と電子通信している。好ましくは、入力デバイス２５０は、１対のコントロールモジュール２５２を提供している。１対のコントロールモジュール２５２は、コンピューティングデバイス２４２の複数の側部２４４のうちの少なくとも２つの対向する側部において、コンピューティングデバイス２４２に隣接しており、コンピューティングデバイス２４２を閉じ込めている。１対のコントロールモジュール２５２は、好ましくは、入力モジュール開口２５４を提供しており、それぞれの入力モジュール開口２５４は、命令入力デバイス２５６を固定する。好ましくは、入力モジュール開口２５４は、コンピューティングデバイス２４２の複数の側部２４４のうちの少なくとも２つの対向する側部のそれぞれに隣接している。
【００３０】
図１４は、コンピューティングデバイス２４２の背面２４８を示しており、コンピューティングデバイス２４２は、入力デバイス２５０の中に部分的に位置決めされている。図１４は、構造的ブリッジ２５８をさらに示しており、構造的ブリッジ２５８は、１対のコントロールモジュール２５２の一方を他方に固定しており、コンピューティングデバイス２４２の背面２４８の中間領域２６０において、コンピューティングデバイス２４２の背面２４８と通信している。
【００３１】
図１４は、１対のコントロールモジュール２５２が、閉じ込めボス（ｃｏｎｆｉｎｅｍｅｎｔ  ｂｏｓｓ）２６２を提供しており、閉じ込めボス２６２が、締め付け戻り止め（ｆａｓｔｅｎｉｎｇ  ｄｅｔｅｎｔ）２６４を提供するということをさらに示している。締め付け戻り止め２６４は、保持部材２６６と相互作用し、構造的ブリッジ２５８を１対のコントロールモジュール２５２に固定する。好適な実施形態では、保持部材２６６は、キャッチ２６８に反応し、それは、好ましくは、ばねで活性化されるキャッチ２６８であり、保持部材２６８は、好ましくは、ばね荷重式の保持部材２６８である。さらに、図１４は、好適な実施形態では、構造的ブリッジ２５８が、通信リンク２７０を提供しており、通信リンク２７０が、１対のコントロールモジュール２５２の間で信号を伝えるということを示している。
【００３２】
引き続き図１４を見ると、好適な実施形態では、通信リンク２７０が、１対のコントロールモジュール２５２の間で信号を伝える際に使用するために、通信モジュール２７２を提供しており、代替例では、信号経路２７４を提供している。好適な実施形態では、通信モジュール２７２は、ワイヤレス通信モジュール２７２であり、それは、２．４ＧＨｚの周波数レンジで動作する。代替的な好適な実施形態では、ワイヤレス通信モジュール２７２は、パーソナルエリアネットワークである。当業者が認識することとなるように、パーソナルエリアネットワーク（ＰＡＮ）は、電話およびパーソナルデジタルアシスタントを含む、コンピュータ化されたデバイスの間の通信のために使用されるコンピュータネットワークである。ＰＡＮは、パーソナルデバイス自身の間の通信（パーソナル間通信）のために使用され得、または、より上位レベルのネットワークおよびインターネット（アップリンク）に接続するために使用され得る。ワイヤレスパーソナルエリアネットワーク（ＷＰＡＮ）は、ＰＡＮがワイヤレスネットワーク技術に持ち込まれたものであり、たとえば、ＩｒＤＡ、ブルートゥース、ワイヤレスＵＳＢ、Ｚ−Ｗａｖｅ、ＺｉｇＢｅｅなどであり、または、ボディエリアネットワークまでも含む。ＷＰＡＮの到達範囲は、数センチメートルから数メートルまでさまざまである。また、ＰＡＮは、ＵＳＢおよびＦｉｒｅＷｉｒｅなどのような、ワイヤードコンピュータバスにも持ち込まれ得る。
【００３３】
信号経路２７４を通信リンクとして利用する実施形態では、信号経路２７４は、金属導体、光ファイバ導体、導電性ポリマー、または、フレックス回路の導電層の形態であることが可能である。当業者は、（図１４の）構造的ブリッジ２５８、または（図１５の）２７６が、硬質ポリマーなどのような硬質材料、または、可撓性のポリマーなどのような可撓性の材料のいずれかから形成され得るということをさらに理解することとなる。好適な実施形態では、可撓性の材料が選択され、かつ、信号経路２７４がワイヤード経路であるときには、信号経路２７４は、図１５によって示されているように、構造的ブリッジ２７６の外部に連結され得る。
【００３４】
図１５は、好適な実施形態では、命令入力デバイス２５６が、電子ゲームコントロールモジュール２７８（それは、除去可能なものもしくは固定されたもののいずれかであることが可能である）、または、（図１３の）キーボードモジュール２８０（それは、除去可能なものもしくは固定されたもののいずれかであることが可能である）であり得るということをさらに示している。
【００３５】
図１６は、代替的な組み合わせ体３００の背面平面図を示しており、代替的な組み合わせ体３００は、好ましくは、それに限定されないが、複数の側部３０４を提供するコンピューティングデバイス３０２を含み、複数の側部のそれぞれは、コンピューティングデバイスの（図１３の）電子ディスプレイスクリーン３０６とコンピューティングデバイス３０２の背面３０８との間に配設されている。好ましくは、代替的な組み合わせ体３００は、通信ポート３１０をさらに含み、通信ポート３１０は、コンピューティングデバイス３０２と相互作用する。好適な実施形態では、通信ポート３１０は、通信リンク３１２（それは、図示の目的のために、ワイヤード接続３１４として示されているが、代替的な実施形態では、ワイヤレス接続であるということが理解されることとなる）を提供している。好ましくは、通信ポート３１０は、１対の閉じ込め構造体３１６をさらに提供しており、１対の閉じ込め構造体３１６は、好ましくは、コンピューティングデバイス３０２の複数の側部３０４のうちの少なくとも２つの対向する側部において、コンピューティングデバイス３０２に隣接しており、コンピューティングデバイス３０２を閉じ込めている。
【００３６】
代替的な組み合わせ体３００は、さらに好ましくは、入力デバイス３１８（本明細書で入力デバイス１１４とも称される）を含み、入力デバイス３１８は、通信ポート３１０に取り付けられおり、通信ポート３１０と電子通信している。入力デバイス３１８は、１対のコントロールモジュール２５２を提供しており、１対のコントロールモジュール２５２は、（図１２の）入力モジュール開口２２４を提供しており、それぞれの入力モジュール開口２２４は、（図２３の）命令入力デバイス３５６、または、図１１の１２０もしくは図１３の２５６などのようなものを固定する。好ましくは、入力モジュール開口２２４は、コンピューティングデバイス３０２の複数の側部３０４のうちの少なくとも２つの対向する側部のそれぞれに隣接しており、また、入力デバイス３５６、または、図１１の１２０もしくは図１３の２５６などのようなものは、通信ポート３１０とは別々のはっきりと異なる構造体であり、通信ポート３１０の構造的部分を形成していない。
【００３７】
図１６は、好適な実施形態では、通信ポート３１０が、締め付けメカニズム３２０（本明細書で保持メカニズム３２０とも称される）をさらに含むことをさらに示している。１つの実施形態では、２１０  Ｎ．  Ｂｒｉｎｔｏｎ  Ｌａｋｅ  Ｒｏａｄ  Ｃｏｎｃｏｒｄｖｉｌｌｅ，ＰＡ  １９３３１のＳｏｕｔｈｃｏによって提供されるものなどのようなソフトドローラッチが、有用な締め付けメカニズム３２０であるということが示されている。
【００３８】
図１７は、通信ポート３１０の上面図を示しており、通信ポート３１０は、好ましくは、構造的ブリッジ３２２を含み、１対の閉じ込め構造体３１６の一方を他方に固定している。構造的ブリッジ３２２は、好ましくは、堅い接続３２４によって、１対の閉じ込め構造体３１６のうちの選択された閉じ込め構造体に固定されており、スリップフィット３２６によって、１対の閉じ込め構造体３１６のうちの残りの閉じ込め構造体に固定されている。締め付けメカニズム３２０は、好ましくは、アンカー部材３３０によって構造的ブリッジ３２２のコンジット３２８にしっかりと締め付けられており、アンカー部材３３０は、好ましくは、スリップフィット３２６に隣接する場所に位置決めされており、取り付け部材３３２（図１８に示されている）によって、１対の閉じ込め構造体３１６のうちの残りの閉じ込め構造体にしっかりと取り付けられている。取り付け部材３３２は、好ましくは、スリップフィット３２６に隣接する場所に位置決めされている。締め付けメカニズム３２０の動作は、１対の閉じ込め構造体３１６の間の距離の拡大および縮小を促進させる。１対の閉じ込め構造体３１６の間の距離の拡大および縮小は、１対の閉じ込め構造体３１６の間にコンピューティングデバイス３０２を設置すること、１対の閉じ込め構造体３１６の間にコンピューティングデバイスをしっかりと保持するために、コンピューティングデバイス３０２の上に十分な圧縮荷重を印加すること、および、圧縮荷重を除去し、通信ポート３１０からコンピューティングデバイスを除去することを可能にする能力を促進させる。
【００３９】
図１７は、１対の閉じ込め構造体３１６のそれぞれが、１対のコントローラドッキングピン３３４を提供していることをさらに示しており、一方、図１８は、１対の閉じ込め構造体３１６のそれぞれがコンピューティングデバイスクレードル３３６をさらに提供していること、および、１対の閉じ込め構造体３１６のうちの選択された閉じ込め構造体が、コンピューティングデバイスインターフェース特徴３３８を提供していることを示している。インターフェース特徴３３８は、少なくとも、それに限定されないが、コンピューティングデバイス３０２への電力の提供を促進させる。
【００４０】
図１９は、１対の閉じ込め構造体３１６のうちの第１の選択された閉じ込め構造体の正面図３４０を示しており、それは、図１６の入力デバイス３１８からの信号を受信する際に使用するための複数の信号入力ランド３４２、および、１対のコントローラドッキングピン３３４を明らかにしている。
【００４１】
図１９によってさらに示されているのは、１対の閉じ込め構造体３１６のうちの第１の選択された閉じ込め構造体の背面図３４４であり、それは、コンピューティングデバイスインターフェース特徴３３８、コンピューティングデバイスクレードル３３６、およびスリップフィット３２６を明らかにしている。
【００４２】
図２０は、１対の閉じ込め構造体３１６のうちの第２の選択された閉じ込め構造体の正面図３４６を示しており、それは、図１６の入力デバイス３１８からの信号を受信する際に使用するための複数の信号入力ランド３４２、および、１対のコントローラドッキングピン３３４を明らかにしている。
【００４３】
図２０によってさらに示されているのは、１対の閉じ込め構造体３１６のうちの第２の選択された閉じ込め構造体の背面図３４８であり、それは、コンピューティングデバイスクレードル３３６、および堅い接続３２４を明らかにしている。
【００４４】
図２１は、開示の目的のために、および、実施形態の残りの開示されている図との一貫性を保つために、通信ポート３１０の１対の閉じ込め構造体３１６のうちの第２の選択された閉じ込め構造体に隣接する入力デバイス３１８の右下側の平面図を明らかにしている。好ましくは、コントロールモジュール２５２は、取り付け構造体３５０を提供しており、取り付け構造体３５０は、通信ポート３１０のコントローラドッキングピン３３４と協働する。取り付け構造体３５０は、入力デバイス３１８を通信ポート３１０に固定する。好適な実施形態では、取り付け構造体３５０は、スライド式のロッキングトグル３５２、および、固定式のロッキングトグル３５４を提供している。提示されている実施形態では、スライド式のロッキングトグル３５２は、コントローラドッキングピン３３４と相互作用し、入力デバイス３１８を通信ポート３１０に（除去可能であるが）しっかりと締め付ける。好適な実施形態では、スライド式のロッキングトグル３５２は、点線で示されている開位置から、実線で示されているような閉位置またはロックされた位置へ、選択的に調節可能である。
【００４５】
図２２は、取り付け構造体３５０によって通信ポート３１０にしっかりと締め付けられている入力デバイス３１８を示しており、一方、図２３は、入力デバイス３１８の右側のコントロールモジュール２５２を示しており、その付随する取り付け構造体３５０がロックされた位置になっており、また、図２３は、閉じ込め構造体３１６に対するコントロールモジュール２５２の特別な関係を示している。図２３は、図１１の１２０または図１３の２５６などのような命令入力デバイス３５６をさらに示しており、それは、好適な実施形態では、除去可能な命令入力デバイス３５６である。
【００４６】
図２４は、締め付けメカニズム３２０の取り付け部材３３２に対する締め付けメカニズム３２０のラッチ部分３５８のより洞察しやすいプレゼンテーションを提供している。
図２５は、好適な実施形態では、入力デバイス３１８が、補助電源３６０および補助データストレージデバイス３６２を含み、補助データストレージデバイス３６２は、好ましくは、キャッシュ部分３６４を含むということを示している。
【００４７】
図２６は、本明細書で開示されて特許請求されているさまざまな実施形態にしたがって構築および動作させられる、電子ゲームコントロール装置４００（本明細書で入力デバイス４００とも称される）の代替的な実施形態の、部分切欠図を伴う正面斜視図を示している。入力デバイス４００は、それに限定されないが、第１のコントロールモジュール４０２および第２のコントロールモジュール４０４を含む。コントロールモジュール（４０２、４０４）は、コンピューティングデバイス４０６の複数の側部のうちの少なくとも２つの対向する側部４０８および４１０（図３０のそれぞれ）において、（図３０の）コンピューティングデバイス４０６に隣接しており、（図３０の）コンピューティングデバイス４０６を閉じ込めている。
【００４８】
好適な実施形態では、コンピューティングデバイス４０６は、図３０に示されているように、その幅４１４よりも大きい長さ４１２を有している。１対のコントロールモジュール（４０８、４１０）は、好ましくは、１対のコントロールモジュール（４０８、４１０）がコンピューティングデバイス４０６の幅４１４を適応的にぴったりと収容するように構成されている。代替的に、１対のコントロールモジュール（４０８、４１０）は、（図３０の）第２のコンピューティングデバイス４１８の（図３０の）幅４１６を適応的にぴったりと収容する。好ましくは、第２のコンピューティングデバイス４１８の幅４１６は、コンピューティングデバイス４０６の幅４１４よりも大きく、好ましくは、第２のコンピューティングデバイス４１８は、第２のコンピューティングデバイス４１８の幅４１４よりも大きい（図３０の）長さ４２０を有している。
【００４９】
好ましくは、入力デバイスは、構造的ブリッジ４２２をさらに提供しており、構造的ブリッジ４２２は、１対のコントロールモジュール（４０２、４０４）の一方を他方に固定する。構造的ブリッジ４２２は、好ましくは、構造的ブリッジ４２２がコンピューティングデバイス４０６の長さ４１２を適応的にぴったりと収容するように構成されている。代替的に、構造的ブリッジ４２２は、第２のコンピューティングデバイス４１８の長さ４２０を適応的にぴったりと収容する。好ましくは、第２のコンピューティングデバイス４１８の長さ４２０は、コンピューティングデバイス４０６の長さ４１２よりも大きい。添付の特許請求の範囲に限定が付与されることなく、好適な実施形態では、構造的ブリッジ４２２は、可撓性のポリマーなどのような可撓性の材料から形成されており、または、代替的に、半硬質ポリマー、繊維ガラス、金属シート材料、炭素繊維、または、当業者に公知の他の材料などのような、半硬質材料から形成されている。
【００５０】
図２７は、図２６の入力デバイス４００の第１のコントロールモジュール４０２の斜視的な分解図を示している。１対のコントロールモジュール（４０２、４０４）の第１のコントロールモジュール４０２は、好ましくは、少なくとも、それに限定されないが、保持メカニズム４２４を含み、保持メカニズム４２４は、（図２６の）構造的ブリッジ４２２と連絡しており、保持メカニズム４２４は、構造的ブリッジ４２２を固定し、構造的ブリッジ４２２がコンピューティングデバイス４０６の長さを適応的に収容するようになっている。代替的に、構造的ブリッジ４２２は、第２のコンピューティングデバイス４１８の長さ４２０を適応的に収容する。好適な実施形態では、第２のコンピューティングデバイス４１８の長さ４２０は、コンピューティングデバイス４０６の長さ４１２よりも大きい。
【００５１】
図２７は、第１のコントロールモジュール４０２がベース４２６を提供していることをさらに示しており、ベース４２６は、調節機能（構造）４２８を提供している。そして、好ましくは、保持メカニズムは、少なくとも、それに限定されないが、構造的ブリッジ４２２と連絡するボス４３０と、調節機能（構造）４２８によってボス４３０と相互作用する調節構造体４３２とを含む。好適な実施形態では、ベース４２６は、調節構造体４３２とボス４２４との間に配設されている。
【００５２】
第１のコントロールモジュール４０２は、好ましくは、ボス４３０と協働するレストレイント（ｒｅｓｔｒａｉｎｔ）４３４を提供している。図２９によって示されているように、調節構造体４３２がベース４２６に対して第１の方向４３８に活性化させられるときに、レストレイント４３４は、ベース４２６に対して第１の位置４３６に構造的ブリッジ４２２を保持する。第１の位置４３６に位置決めされているときには、構造的ブリッジ４２２は、より明確に図３０に示されているように、第２のコンピューティングデバイス４１８を収容する。
【００５３】
調節構造体４３２がベース４２６に対して第２の方向４４２に活性化させられるときに、調節構造体４３２は、さらに、ベース４２６に対して第２の位置４４０に構造的ブリッジ４２２を保持する。第２の位置４４０に位置決めされているときには、構造的ブリッジ４２２は、図３０によって示されているように、第１のコンピューティングデバイス４０６を収容する。第１の位置４３６および第２の位置４４０を収容するために、好ましくは、ボス４３２は、拘束機能（構造）４４４を提供しており、拘束機能（構造）４４４は、ベース４２６と協働する。拘束機能（構造）４４４は、第１の方向４３８への調節構造体４３２の活性化に続いて、ベース４２６に対して第１の位置４３６に構造的ブリッジ４２２を維持する。拘束機能（構造）４４４は、第２の方向４４２への調節構造体４３２の活性化に続いて、ベース４２６に対して第２の位置４４０に構造的ブリッジ４２２をさらに維持する。第２の方向４４２は、第１の方向４３８とは反対側の方向であり、好適な実施形態では、レストレイント４３４は、ばね部材である。
【００５４】
図２８は、図２６の入力デバイス４００の第２のコントロールモジュール４０４の斜視的な分解図を示している。第２のコントロールモジュール４０４は、少なくとも、それに限定されないが、テンショニングメカニズム４４６を含み、テンショニングメカニズム４４６は、図２６によって示されているように、構造的ブリッジ４２２に固定されているテンショニングメカニズム４４６の締め付けメカニズム４４８（本明細書で取り付けステイ４４８とも称される）によって、構造的ブリッジ４２２と連絡する。
【００５５】
テンショニングメカニズム４４６は、構造的ブリッジ４２２を第２のコントロールモジュール４０４のボトムカバー４５０に固定しており、テンショニングメカニズム４４６と協働する構造的ブリッジ４２２が、（図３０の）コンピューティングデバイス４０６の（図３０の）長さ４１２をぴったりと収容するようになっている。代替的に、テンショニングメカニズム４４６は、構造的ブリッジ４２２を第２のコントロールモジュール４０４のボトムカバー４５０に固定しており、テンショニングメカニズム４４６と協働する構造的ブリッジ４２２が、（図３０の）第２のコンピューティングデバイス４１８の（図３０の）長さ４２０をぴったりと収容するようになっている。好適な実施形態では、第２のコンピューティングデバイス４１８の長さ４２０は、コンピューティングデバイス４０６の長さ４１２よりも大きい。
【００５６】
好適な実施形態では、ボトムカバー４５０は、位置ガイド４５４を提供しており、テンショニングメカニズム４４６は、少なくとも、それに限定されないが、構造的ブリッジ４２２と連絡する取り付けボス４５２と、取り付けボス４５２と協働する取り付けサポート４５６とを含む。好ましくは、取り付けサポート４５６は、取り付けボス４５２と協働して、構造的ブリッジ４２２を垂直方向に閉じ込めているが、ボトムカバー４５０に対する構造的ブリッジ４２２の横方向の移動を可能にしている。
【００５７】
好ましくは、構造的ブリッジ４２２は、ボトムカバー４５０とトップカバー４５８との間に配設されており、トップカバー４５８は、ボトムカバー４５０と協働し、（図２９の）調節構造体４３２の（図２９の）第１の位置４３２に関連付けられるその位置から、調節構造体４３２の（図２９の）第２の位置４４０に関連付けられるその位置へ、構造的ブリッジ４２２の一部分の横方向の移動を促進させ、一方、（図２６の）取り付けステイ４４８と連絡する付勢構造体４６０が、構造的ブリッジ４２２と第２のコントロールモジュール４０４との間に可変のテンションを提供しており、それによって、図２６によって示されているように、ボトムカバー４５０に対する構造的ブリッジ４２２の横方向の移動の所定の量を収容する。
【００５８】
好適な実施形態では、取り付けステイ４４８は、少なくとも、それに限定されないが、ガイド開口４６２を含み、ガイド開口４６２は、好ましくは、スロット形状にされており、取り付けボス４５２の位置ガイド４５４と相互作用する。ガイド開口４６２と位置ガイド４５４の相互作用は、構造的ブリッジ４２２と第２のコントロールモジュール４０４との間の横方向のアライメントの範囲を限定している。図２８によってさらに示されているように、好適な実施形態では、取り付けサポート４５６は、複数の制御スイッチ４６４をさらに支持しており、複数の制御スイッチ４６４は、回路構造体４６６と相互作用しており、回路構造体４６６は、好ましくは、フレックス回路４６６であり、付勢構造体４６０は、コイル状のばね４６０である。
【００５９】
好ましくは、１対のコントロールモジュールのそれぞれ、図２７の４０２および図２８の４０４は、少なくとも、それに限定されないが、サイジングメカニズム４６８を含み、サイジングメカニズム４６８は、（図３０の）コンピューティングデバイス４０６、そうでなければ、（図３０の）第２のコンピューティングデバイス４１８と連絡しており、好適な実施形態では、サイジングメカニズム４６８は、サイジングメカニズム４６８がコンピューティングデバイス４０６の幅４１４を適応的に収容するように構成されている。代替的に、サイジングメカニズム４６８は、第２のコンピューティングデバイス４１８の幅４１６を適応的に収容する。好適な実施形態では、第２のコンピューティングデバイス４１８の幅４１６は、コンピューティングデバイス４０６の幅４１４よりも大きい。
【００６０】
図２７によって示されているように、コントロールモジュール４０２は、ベース４２６を含み、ベース４２６は、サイジングトグル閉じ込め構造体４７０、および、スライドサポート閉じ込め構造体４７２を提供している。好ましくは、サイジングメカニズム４６８は、少なくとも、それに限定されないが、サイジングトグル閉じ込め構造体４７２と連絡するサイジングトグル４７４と、サイジングトグル閉じ込め構造体４７２と相互作用するサイジングトグルレストレイント４７６と、ベース４２６に対してサイジングトグル４７４の回転を推進するサイジングレストレイント４７６とを含む。
【００６１】
好適な実施形態では、サイジングメカニズムは、捩じり力構造体４７８をさらに含み、捩じり力構造体４７８は、ベース４２６と協働し、サイジングトグル４７４に作用する。捩じり力構造体４７８は、第１の捩じり力の下でサイジングトグル４７４が第１の位置にあることを促進させる。第１の位置にあるときには、サイジングトグル４７４は、ベース４５０から垂直方向に延在しており、コントロールモジュール４０２は、コンピューティングデバイス４０６の幅４１０を収容するように構成されている。代替的に、捩じり力構造体４７８は、第２の捩じり力の下でサイジングトグル４７４が第２の位置にあることを促進させる。第２の位置にあるときには、サイジングトグル４７４は、サイジングトグル閉じ込め構造体４７２の中に入れ子にされ、ベース４５０に対して水平方向に存在しており、コントロールモジュール４０２は、第２のコンピューティングデバイス４１８の幅４１６を収容するように構成されている。好ましくは、第２の捩じり力は、第１の捩じり力よりも大きく、第２のコンピューティングデバイス４１８の幅４１６は、コンピューティングデバイス４０６の幅４１４よりも大きい。
【００６２】
好適な実施形態では、コントロールモジュール４０２は、コンピューティングデバイススライドパッド４８０をさらに提供しており、コンピューティングデバイススライドパッド４８０は、スライドサポート閉じ込め構造体４７２の中に入れ子にされている。コンピューティングデバイススライドパッド４８０は、コンピューティングデバイス（４０６、４１８）のいずれかをコントロールモジュール４０２の中へ挿入するときに、コンピューティングデバイス４０６または第２のコンピューティングデバイス４１８とコントロールモジュール４０２との間に、最小滑り摩擦を送達するように構成されている。同様に、サイジングトグル４７４は、コンピューティングデバイス（４０６、４１８）のいずれかをコントロールモジュール４０２の中へ挿入するときに、コンピューティングデバイス４０６または第２のコンピューティングデバイス４１８とコントロールモジュール４０２との間に、最小滑り摩擦を送達するように構成されている。
【００６３】
好ましくは、捩じり力構造体４７８は、コイル状のばねであり、サイジングトグル閉じ込め構造体４７０は、摩擦表面４８２を提供しており、摩擦表面４８２は、コンピューティングデバイス４０６が入力デバイス４００によって拘束されるときに、第１の位置から第２の位置へのサイジングトグル４７４の不注意な移動を抑制する。
【００６４】
図３１を見てみると、図３１ａおよび図３１ｂがその中に示されている。図３１ａによって見ることができるように、入力デバイス４００のコントロールモジュール（４０２、４０４）および構造的ブリッジ４２２は、互いに対して位置決めされており、（図３０の）コンピューティングデバイス４０６を収容する。一方、図３１ｂによって見ることができるように、入力デバイス４００のコントロールモジュール（４０２、４０４）および構造的ブリッジ４２２は、互いに対して位置決めされており、図３０の第２のコンピューティングデバイス４１８を収容する。
【００６５】
図３２、図３３、および図３４は、第２のコンピューティングデバイス４１８をコントロールモジュール４０４に接合するために好適な手順を集合的に図示している。手順の中の第１のステップは、第２のコンピューティングデバイス４１８をコントロールモジュール４０４に整合させることであり、第２のコンピューティングデバイス４１８の角部が、図３２に示されているように、サイジングトグル４７４に隣接するようになっている。手順の中の次のステップは、サイジングトグル４７４に接触するように第２のコンピューティングデバイス４１８を前進させること、および、第２のコンピューティングデバイス４１８をコントロールモジュール４０４の中へ前進させ続けることであり、それは、サイジングトグル４７４がサイジングトグル閉じ込め構造体４７０の中へ回転することを引き起こし、それによって、第２のコンピューティングデバイス４１８が、コントロールモジュール４０４によって適応的にぴったりと収容されることを可能にする。
【００６６】
図３５は、本明細書で開示および特許請求されているさまざまな実施形態にしたがって構築および動作させられる、電子ゲームコントロール装置５００（本明細書で入力デバイス５００とも称される）の代替的な実施形態の正面図を示している。入力デバイス５００は、それに限定されないが、第１のコントロールモジュール５０２および第２のコントロールモジュール５０４を含む。コントロールモジュール（５０２、５０４）は、コンピューティングデバイス５０６の複数の側部のうちの少なくとも２つの対向する側部５０８および５１０（図３６のそれぞれ）において、（図３６の）コンピューティングデバイス５０６に隣接しており、（図３６の）コンピューティングデバイス５０６を閉じ込めている。集合的に、および、構造的ブリッジ５２２によって一緒に接合されるときに、入力デバイス５００およびコンピューティングデバイス５０６は、図３６に示されているように、電子ゲーミングシステム５１１を形成する。
【００６７】
好適な実施形態では、コントロールモジュール５０４は、図２６および図２８のコントロールモジュール４０４の普遍的なメカニズムおよび機能（構造）を組み込んでおり、それは、テンショニングメカニズム４４６を含むが、サイジングメカニズム４６８がない。コントロールモジュール５０２は、図２６および図２７のコントロールモジュール４０２の普遍的なメカニズムおよび機能（構造）を組み込んでいるが、調節機能（構造）４２８およびサイジングメカニズム４６８がない。したがって、コンピューティングデバイス５６０の長さ５１３を収容するように、テンショニングメカニズム４４６をコントロールモジュール５０４の中へ組み込むことによって、また、コンピューティングデバイス５０６の側部（５０８、５１０）が、コンピューティングデバイス５０６の幅５１７に沿って垂直方向に、コントロールモジュール（５０２、５０４）の長さ５１５の境界を越えて突出または延在することを可能にするように、コントロールモジュール（５０２、５０４）を構成させることによって、入力デバイス５００は、変化する長さおよび幅のコンピューティングデバイスを収容することが可能である。
【００６８】
好適な実施形態では、図３５によって示されているように、構造的ブリッジ５２２は、１対のコントロールモジュール（５０２、５０４）の一方を他方に固定している。好ましくは、図３６に示されているように、構造的ブリッジ５２２がコンピューティングデバイス５０６の長さ５１３を適応的にぴったりと収容するように、構造的ブリッジ５２２は構成されている。
【００６９】
好適な実施形態では、図３７によって示されているように、コントロールモジュール５０４は、少なくとも、それに限定されないが、テンショニングメカニズム５４６を含み、テンショニングメカニズム５４６は、構造的ブリッジ５２２と連絡する。好ましくは、テンショニングメカニズム５４６は、構造的ブリッジ５２２を固定しており、構造的ブリッジが、（図３６の）コンピューティングデバイス５０６の（図３６の）長さ５１３をぴったりと収容するようになっている。
【００７０】
好適な実施形態では、図３５によって示されているように、通信リンク５１９は、入力デバイス５００によって提供されており、それは、１対のコントロールモジュール（５０２、５０４）と（図３６の）コンピューティングデバイス５０６との間の通信を促進させ、また、図３５によって示されているように、構造的ブリッジ５２２は、コンピューティングデバイスの背面の中間部分を覆い隠している。
【００７１】
引き続き図３５を見ると、好適な実施形態では、通信リンク５１９が、１対のコントロールモジュール（５０２、５０４）の間で信号を伝える際に使用するために、通信モジュール５２１を提供しており、代替例では、信号経路５２３を提供している。好適な実施形態では、通信モジュール５２１は、ワイヤレス通信モジュール５２１であり、それは、２．４ＧＨｚの周波数レンジで動作する。代替的な好適な実施形態では、ワイヤレス通信モジュール５２１は、パーソナルエリアネットワークである。当業者が認識することとなるように、パーソナルエリアネットワーク（ＰＡＮ）は、電話およびパーソナルデジタルアシスタントを含む、コンピュータ化されたデバイスの間の通信のために使用されるコンピュータネットワークである。ＰＡＮは、パーソナルデバイス自身の間の通信（パーソナル間通信）のために使用され得、または、より上位レベルのネットワークおよびインターネット（アップリンク）に接続するために使用され得る。ワイヤレスパーソナルエリアネットワーク（ＷＰＡＮ）は、ＰＡＮがワイヤレスネットワーク技術に持ち込まれたものであり、たとえば、ＩｒＤＡ、ブルートゥース、ワイヤレスＵＳＢ、Ｚ−Ｗａｖｅ、ＺｉｇＢｅｅなどであり、または、ボディエリアネットワークまでも含む。ＷＰＡＮの到達範囲は、数センチメートルから数メートルまでさまざまである。また、ＰＡＮは、ＵＳＢおよびＦｉｒｅＷｉｒｅなどのような、ワイヤードコンピュータバスにも持ち込まれ得る。
【００７２】
信号経路５２３を通信リンク５１９として利用する実施形態では、信号経路５２３は、金属導体、光ファイバ導体、導電性ポリマー、または、フレックス回路の導電層の形態であることが可能である。当業者は、構造的ブリッジ５２２が、硬質ポリマーなどのような硬質材料、または、可撓性のポリマーなどのような可撓性の材料のいずれかから形成され得るということをさらに理解することとなる。
【００７３】
図３８は、図３５の入力デバイス５００のコントロールモジュール５０４の斜視的な分解図を示している。コントロールモジュール５０４は、少なくとも、それに限定されないが、テンショニングメカニズム５４６を含み、テンショニングメカニズム５４６は、図３７によって示されているように、構造的ブリッジ５２２に固定されているテンショニングメカニズム５４６の締め付けメカニズム５４８（本明細書で取り付けステイ５４８とも称される）によって、構造的ブリッジ５２２と連絡する。
【００７４】
テンショニングメカニズム５４６は、構造的ブリッジ５２２をコントロールモジュール５０４のボトムカバー５５０に固定しており、テンショニングメカニズム５４６と協働する構造的ブリッジ５２２が、（図３６の）コンピューティングデバイス５０６の（図３６の）長さ５１３をぴったりと収容するようになっている。
【００７５】
好適な実施形態では、ボトムカバー５５０は、位置ガイド５５４を支持する取り付けボス５５２を提供しており、テンショニングメカニズム５４６は、少なくとも、それに限定されないが、構造的ブリッジ５２２と連絡する取り付けボス５５２と、取り付けボス５５２と協働する取り付けサポート５５６とを含む。好ましくは、取り付けサポート５５６は、取り付けボス５５２と協働して、構造的ブリッジ５２２を垂直方向に閉じ込めているが、ボトムカバー５５０に対する構造的ブリッジ５２２の横方向の移動を可能にしている。
【００７６】
好ましくは、構造的ブリッジ５２２は、ボトムカバー５５０とトップカバー５５８との間に配設されており、トップカバー５５８は、ボトムカバー４５０と協働し、構造的ブリッジ５２２の一部分の横方向の移動を促進させる。好ましくは、（図３７の）取り付けステイ５４８と連絡する付勢構造体５６０は、構造的ブリッジ５２２と第２のコントロールモジュール５０４との間に可変のテンションを提供しており、それによって、図３７によって示されているように、ボトムカバー５５０に対する構造的ブリッジ５２２の横方向の移動の所定の量を収容する。
【００７７】
図３７によって示されているように、好適な実施形態では、取り付けステイ５４８は、少なくとも、それに限定されないが、ガイド開口５６２を含み、ガイド開口５６２は、好ましくは、スロット形状にされており、（図３８の）取り付けボス５５２の位置ガイド５５４と相互作用する。ガイド開口５６２と位置ガイド５５４の相互作用は、構造的ブリッジ５２２とコントロールモジュール（５０２、５０４）との間の横方向のアライメントの範囲を限定している。図３８によってさらに示されているように、好適な実施形態では、取り付けサポート５５６は、複数の制御スイッチ５６４をさらに支持しており、複数の制御スイッチ５６４は、回路構造体５６６と相互作用しており、回路構造体５６６は、好ましくは、フレックス回路５６６であり、付勢構造体５６０は、コイル状のばね４６０である。
【００７８】
好適な実施形態では、構造的ブリッジ５２２は、図３７によって示されているように、その長さ５２７よりも小さい幅５２５を提供しており、コンピューティングデバイス５０６の背面は、構造的ブリッジ５２２の幅５２５の上下に延在している。
【００７９】
図３６に戻ると、好適な実施形態では、入力デバイス５００は、補助電源５２９および補助データストレージデバイス５３１を含み、補助データストレージデバイス５３１は、好ましくは、キャッシュ部分５３３を含む。好ましくは、補助電源５２９は、リチウムイオン電池であり、補助電源５２９は、コンピューティングデバイス５０６の電源が抜かれているときに、入力デバイス５００およびコンピューティングデバイス５０６に電力を提供し、また、補助データストレージデバイス５３１は、好ましくは、ソリッドステートハードドライブである。
【００８０】
図３９は、電子ゲーミングシステム５１１のさらなる実施形態を示しており、入力デバイス５００は、キーボードモジュール５３５を提供しており、キーボードモジュール５３５は、コンピューティングデバイス５０６に信号を伝え、信号は、コンピューティングデバイス５０６のディスプレイスクリーン５３７の上に表示される画像を制御する。
【００８１】
図４０は、電子ゲーミングシステム５１１の一層さらなる実施形態を示しており、入力デバイス５００は、キーボードモジュール５３５を提供しており、キーボードモジュール５３５は、コンピューティングデバイス５０６に信号を伝え、信号は、コンピューティングデバイス５０６のディスプレイスクリーン５３７の上に表示される画像を制御する。図４０は、通信リンク５１９が、通信モジュール５２１を介して、第２のディスプレイ５４１とワイヤレスに通信するようにさらに構成されていることをさらに示している。すなわち、第２のディスプレイ５４１は、コンピューティングデバイス５０６の電子ディスプレイスクリーン５３７から遠隔にあり、コンピューティングデバイス５０６の電子ディスプレイスクリーン５３７に機械的に関連付けられていない。
【００８２】
引き続き図４０を見ると、好ましくは、それぞれのコントロールモジュール（５０２、５０４）は、方向制御デバイス５４３を提供している。好適な実施形態では、それぞれの方向制御デバイス５４３は、コントロールモジュール５０４のトップカバー５５８に隣接する第１の位置、または、コントロールモジュール５０２のトップカバー５４５に隣接する第１の位置、および、第２の位置を促進させるように構成されており、第２の位置は、所定の垂直方向の距離だけ第１の位置から離れるように変位させられている。さらに好適な実施形態では、それぞれの方向制御モジュール５４３は、ジョイスティックである。
【００８３】
図４１は、電子ゲームコントロール装置４００（本明細書で入力デバイス４００とも称される）を開示しており、それは、好適な実施形態では、第１のコントロールモジュール４０２、第２のコントロールモジュール４０４、および構造的ブリッジ４２２を提供しており、それは、コンピューティングデバイス４１８を集合的に固定している。好適な実施形態では、構造的ブリッジ４２２の背面が、タッチセンサ式のコントロールモジュール５４４を支持しており、それは、好適な実施形態では、タッチスクリーン５４４である。
【００８４】
図４２は、電子ゲームコントロール装置４００（本明細書で入力デバイス４００とも称される）を開示しており、それは、好適な実施形態では、第１のコントロールモジュール４０２、第２のコントロールモジュール４０４、および構造的ブリッジ４２２を提供しており、それは、コンピューティングデバイス４１８を集合的に固定している。好適な実施形態では、第２のコントロールモジュール４０４の背面４２７が、タッチセンサ式のコントロールモジュール５４４を支持しており、それは、好適な実施形態では、タッチスクリーン５４４である。
【００８５】
本発明のさまざまな実施形態の多数の特性および構成が、本発明のさまざまな実施形態の構造および機能の詳細とともに、先述の説明において述べられてきたが、この詳細な説明は、単に例示目的のものであり、また、特にパーツの構造および配置の事項において、添付の特許請求の範囲の表現に用いられる用語の広義の一般的な意味によって示されている最大限の範囲まで、本発明の原理の範囲内で、詳細について変更を行うことが可能であるということが理解されるべきである。たとえば、特定のエレメントは、本発明の精神および範囲から逸脱することなく、特定のコンピューティングデバイスに応じて変化することが可能である。
【符号の説明】
【００８６】
１００  ゲームコントローラおよび情報入力デバイス（「Ｇ＆Ｄ」）
１０２  コンピューティングデバイス
１０４  側部
１０６  側部
１０８  側部
１１０  電子ディスプレイスクリーン
１１２  背面
１１４  入力デバイス
１１５  ブリッジ構造体
１１６  側部構造体
１１７  スイッチ
１１８  側部構造体
１１９  スイッチ
１２０  除去可能なゲームコントロールモジュール
１２２  除去可能なゲームコントロールモジュール
１２４  ブリッジ構造体
１２６  側部
１２８  Ｕ字形状の構造体
１３０  ビデオゲーム
１３２  仮想オブジェクト
１３６  トリガースイッチ
１３８  トリガー
１４０  スイッチ
１４２  ジョイスティック
１４２  入力装置
１４４  ボタン
１４５  スイッチ
１４６  ジョイスティック
１４８  ボタン
１５０  ＣＰＵ
１５２  スイッチ
１５４  通信プロトコル
１５６  ＣＰＵ
１５８  デバイスドライバ
１６０  通信プロトコル
１６２  ゲームコントローラ
１６４  除去可能なキーボードモジュール
１６６  除去可能なキーボードモジュール
１６８  補助電子ディスプレイスクリーン（「ＡＤＳ」）
１７０  入力モジュール開口
１７２  タッチ反応式の電子ディスプレイスクリーン
１７４  タッチ反応式の電子ディスプレイスクリーン
１７６  マウスパッド部分
１７８  マウスパッド部分
１８０  キーボード
１８２  キーボード
１８４  第１のカメラ
１８６  第２のカメラ
１８８  第３のカメラ
１９０  第４のカメラ
１９２  補助電源
１９４  補助データストレージデバイス
１９６  キャッシュ部分
２００  ビデオゲームコントローラ
２０２  トランザクションカード入力機能（構造）
２０４  トランザクションカードスロット
２０６  トランザクションカードリーダ
２１０  ポイントオブセールデバイス
２１２  コンピューティングデバイス
２１４  側部
２１６  電子ディスプレイスクリーン
２１８  背面
２２０  電子ゲームコントローラ
２２２  側部構造体
２２４  入力モジュール開口
２２６  除去可能なキーボードモジュール
２２８  除去可能なキーボードモジュール
２３０  カメラ
２３２  トランザクションカード入力機能（構造）
２３４  トランザクションカード
２３６  アプリケーション
２４０  コンピューティングデバイスおよび電子ゲームコントロールの組み合わせ体
２４２  コンピューティングデバイス
２４４  側部
２４６  電子ディスプレイスクリーン
２４８  背面
２５０  電子ゲームコントローラ
２５２  コントロールモジュール
２５４  入力モジュール開口
２５６  命令入力デバイス
２５８  構造的ブリッジ
２６０  中間領域
２６２  閉じ込めボスボス
２６４  締め付け戻り止め
２６６  保持部材
２６８  キャッチ
２７０  通信リンク
２７２  通信モジュール
２７４  信号経路
２７６  構造的ブリッジ
２７８  電子ゲームコントロールモジュール
２８０  キーボードモジュール
３００  組み合わせ体
３０２  コンピューティングデバイス
３０４  側部
３０６  電子ディスプレイスクリーン
３０８  背面
３１０  通信ポート
３１２  通信リンク
３１４  ワイヤード接続
３１６  閉じ込め構造体
３１８  入力デバイス
３２０  締め付けメカニズム
３２２  構造的ブリッジ
３２４  堅い接続
３２６  スリップフィット
３２８  コンジット
３３０  アンカー部材
３３２  取り付け部材
３３４  コントローラドッキングピン
３３６  コンピューティングデバイスクレードル
３３８  コンピューティングデバイスインターフェース機能（構造）
３４０  正面図
３４２  信号入力ランド
３４４  背面図
３４６  正面図
３４８  背面図
３５０  取り付け構造体
３５２  スライド式のロッキングトグル
３５４  固定式のロッキングトグル
３５６  命令入力デバイス
３５８  ラッチ部分
３６０  補助電源
３６２  補助データストレージデバイス
３６４  キャッシュ部分
４００  電子ゲームコントロール装置
４０２  第１のコントロールモジュール
４０４  第２のコントロールモジュール
４０６  コンピューティングデバイス
４０８  コントロールモジュール
４１０  コントロールモジュール
４１２  長さ
４１４  幅
４１６  幅
４１８  第２のコンピューティングデバイス
４２０  長さ
４２２  構造的ブリッジ
４２４  保持メカニズム
４２６  ベース
４２８  調節機能（構造）
４３０  ボス
４３２  調節構造体
４３４  レストレイント
４３６  第１の位置
４３８  第１の方向
４４０  第２の位置
４４２  第２の方向
４４４  拘束機能（構造）
４４６  テンショニングメカニズム
４４８  取り付けステイ、締め付けメカニズム
４５０  ボトムカバー
４５２  取り付けボス
４５４  位置ガイド
４５６  取り付けサポート
４５８  トップカバー
４６０  付勢構造体
４６２  ガイド開口
４６４  制御スイッチ
４６６  回路構造体
４６８  サイジングメカニズム
４７０  サイジングトグル閉じ込め構造体
４７２  サイジングトグル閉じ込め構造体
４７４  サイジングトグル
４７６  サイジングトグルレストレイント、サイジングレストレイント
４７８  捩じり力構造体
４８０  コンピューティングデバイススライドパッド
４８２  摩擦表面
５００  電子ゲームコントロール装置
５０２  第１のコントロールモジュール
５０４  第２のコントロールモジュール
５０６  コンピューティングデバイス
５０８  側部
５１０  側部
５１１  電子ゲーミングシステム
５１３  長さ
５１５  長さ
５１７  幅
５１９  通信リンク
５２１  通信モジュール
５２２  構造的ブリッジ
５２３  信号経路
５２５  幅
５２７  長さ
５２９  補助電源
５３１  補助データストレージデバイス
５３３  キャッシュ部分
５３５  キーボードモジュール
５３７  電子ディスプレイスクリーン
５４１  第２のディスプレイ
５４３  方向制御デバイス、方向制御モジュール
５４５  トップカバー
５４６  テンショニングメカニズム
５４８  締め付けメカニズム、取り付けステイ
５５０  ボトムカバー
５５２  取り付けボス
５５４  位置ガイド
５５６  取り付けサポート
５５８  トップカバー
５６０  付勢構造体
５６２  ガイド開口
５６４  制御スイッチ
５６６  回路構造体
【図１】
2018152041.tif 000003
【図２】
2018152041.tif 000004
【図３】
2018152041.tif 000005
【図４】
2018152041.tif 000006
【図５】
2018152041.tif 000007
【図６】
2018152041.tif 000008
【図７】
2018152041.tif 000009
【図８】
2018152041.tif 000010
【図９】
2018152041.tif 000011
【図１０】
2018152041.tif 000012
【図１１】
2018152041.tif 000013
【図１２】
2018152041.tif 000014
【図１３】
2018152041.tif 000015
【図１４】
2018152041.tif 000016
【図１５】
2018152041.tif 000017
【図１６】
2018152041.tif 000018
【図１７】
2018152041.tif 000019
【図１８】
2018152041.tif 000020
【図１９】
2018152041.tif 000021
【図２０】
2018152041.tif 000022
【図２１】
2018152041.tif 000023
【図２２】
2018152041.tif 000024
【図２３】
2018152041.tif 000025
【図２４】
2018152041.tif 000026
【図２５】
2018152041.tif 000027
【図２６】
2018152041.tif 000028
【図２７】
2018152041.tif 000029
【図２８】
2018152041.tif 000030
【図２９】
2018152041.tif 000031
【図３０】
2018152041.tif 000032
【図３１】
2018152041.tif 000033
【図３２】
2018152041.tif 000034
【図３３】
2018152041.tif 000035
【図３４】
2018152041.tif 000036
【図３５】
2018152041.tif 000037
【図３６】
2018152041.tif 000038
【図３７】
2018152041.tif 000039
【図３８】
2018152041.tif 000040
【図３９】
2018152041.tif 000041
【図４０】
2018152041.tif 000042
【図４１】
2018152041.tif 000043
【図４２】
2018152041.tif 000044
【手続補正書】
【提出日】平成29年11月29日(2017.11.29)
【手続補正１】
【補正対象書類名】図面
【補正対象項目名】図１３
【補正方法】変更
【補正の内容】
【図１３】
2018152041.tif 000045
【外国語明細書】
2018152041000001.pdf